(57)【要約】      （修正有）【課題】中継装置を介さない無線通信によるデータの送受信処理における異常を判断する画像処理装置及び通信装置を提供する。【解決手段】画像処理装置１は、無線通信を行うための通信部１４と、中継装置９５を介さない無線通信にて送信元から受信元へデータを送信する際に、当該データの送信に応答して当該受信元から当該送信元に対して送信される応答信号の一定期間の通信量の閾値を記憶するための記憶部５２と、通信部を制御するための制御部５１とを備える。制御部は、無線通信にて送信元から受信元へデータを送信し、このデータの送信に応答して当該受信元から当該送信元に応答信号を送信する送受信処理と、送受信処理のときに、受信元から送信元へ送信される応答信号の一定期間の通信量を監視する監視処理と、監視処理により監視した応答信号の一定期間の通信量が閾値を超えた場合に、送受信処理に異常が生じていると判断する判断処理と、を実行する。【選択図】図１
2020187771.tif 000002
【特許請求の範囲】
【請求項１】
携帯端末と通信可能な画像処理装置であって、
前記携帯端末との間で、無線通信を行うための通信部と、
中継装置を介さない無線通信にて前記携帯端末から画像データを受信する際に、この画像データの受信に応答して前記携帯端末に対して送信する応答信号の一定期間の通信量の閾値を記憶するための記憶部と、
前記携帯端末から受信した画像データに従って、記録媒体に画像を記録するための画像記録部と、
前記通信部を制御するための制御部と
を備え、
前記制御部は、
前記中継装置を介さない無線通信にて前記携帯端末から画像データを受信し、この受信に応答して前記携帯端末に前記応答信号を送信する送受信処理と、
前記送受信処理のときに、前記中継装置を介さない無線通信にて前記携帯端末に対して送信する前記応答信号の一定期間の通信量を監視する監視処理と、
前記監視処理により監視した前記応答信号の一定期間の通信量が前記閾値を超えた場合に、前記送受信処理に異常が生じていると判断する判断処理と
を実行することを特徴とする画像処理装置。
【請求項２】
携帯端末と通信可能な画像処理装置であって、
前記携帯端末との間で、無線通信を行うための通信部と、
記録媒体に記録された画像を読み取り、当該画像に係る画像データを生成する画像読取部と、
前記画像読取部により生成された画像データを、中継装置を介さない無線通信にて前記携帯端末に送信する際に、この送信に応答して前記携帯端末から受信する応答信号の一定期間の通信量の閾値を記憶するための記憶部と、
前記通信部を制御するための制御部と
を備え、
前記制御部は、
前記中継装置を介さない無線通信にて前記携帯端末に画像データを送信し、この送信に応答して前記携帯端末から前記応答信号を受信する送受信処理と、
前記送受信処理のときに、前記中継装置を介さない無線通信にて前記携帯端末から受信する前記応答信号の一定期間の通信量を監視する監視処理と、
前記監視処理により監視した前記応答信号の一定期間の通信量が前記閾値を超えた場合に、前記送受信処理に異常が生じていると判断する判断処理と
を実行することを特徴とする画像処理装置。
【請求項３】
前記制御部は、
前記判断処理において、前記送受信処理に異常が生じていると判断したときに、前記送受信処理を中断することを特徴とする請求項１又は２に記載の画像処理装置。
【請求項４】
前記通信部は、
前記送受信処理において生じ得る異常に係る異常情報を格納したデータベースと、前記画像処理装置から前記判断処理により判断された異常に係る異常候補情報を受信したときに、当該異常候補情報が前記データベースに格納された異常情報の何れかと一致するか否かを判定することで前記判断処理による判断が正しいか否かを決定し、その決定結果を前記画像処理装置に送信する決定手段と、を備えた外部装置と通信可能であり、
前記制御部は、
前記判断処理において、前記送受信処理に異常が生じていると判断したときに、当該判断した異常に係る前記異常候補情報を前記外部装置に送信し、前記決定結果を前記外部装置から受信する問合処理をさらに実行することを特徴とする請求項１又は２に記載の画像処理装置。
【請求項５】
前記制御部は、
前記問合処理において、前記外部装置から受信した前記決定結果が前記判断処理における前記判断が正しいとする結果であった場合には、前記送受信処理を中断し、
前記問合処理において、前記外部装置から受信した前記決定結果が前記判断処理における前記判断が正しくないとする結果であった場合には、前記送受信処理を継続することを特徴とする請求項４に記載の画像処理装置。
【請求項６】
前記制御部は、
前記判断処理により前記送受信処理に異常が生じていると判断したときから、前記問合処理において前記決定結果を受信するまでの間、前記送受信処理を中断し、
前記問合処理において、前記外部装置から受信した前記決定結果が前記判断処理における前記判断が正しいとする結果であった場合には、前記送受信処理の中断を継続し、
前記問合処理において、前記外部装置から受信した前記決定結果が前記判断処理における前記判断が正しくないとする結果であった場合には、前記送受信処理を再開することを特徴とする請求項４に記載の画像処理装置。
【請求項７】
ユーザに情報を出力する出力装置を更に備え、
前記制御部は、
前記送受信処理を実行している期間、及び、前記判断処理により前記送受信処理に異常が生じていると判断したときから、前記問合処理において前記決定結果を受信するまでの期間に、前記出力装置に画像データの送受信中であることを示す情報を出力させ、且つ、
前記問合処理において、前記外部装置から受信した前記決定結果が前記判断処理における前記判断が正しいとする結果であった場合に、前記出力装置に画像データの送受信を中断したことを示す情報を出力させる出力処理をさらに実行することを特徴とする請求項６に記載の画像処理装置。
【請求項８】
前記制御部は、
前記送受信処理の前において、
前記携帯端末との間の、前記中継装置を介さない無線通信の通信速度を計測する第１通信速度計測処理と、
前記第１通信速度計測処理の計測結果に基づいて前記記憶部に記憶された前記閾値を変更する第１閾値変更処理と
をさらに実行することを特徴とする請求項１〜７の何れか一項に記載の画像処理装置。
【請求項９】
前記制御部は、
前記判断処理により前記送受信処理に異常が生じていると判断した場合に、前記携帯端末との間の、前記中継装置を介さない無線通信の通信速度を計測する第２通信速度計測処理と、
前記第２通信速度計測処理により計測した通信速度が、前記第１通信速度計測処理により計測した通信速度よりも速い場合には、前記第２通信速度計測処理の計測結果に基づいて前記記憶部に記憶された前記閾値を大きくする第２閾値変更処理と、
前記監視処理により監視した前記応答信号の一定期間の通信量が、前記第２閾値変更処理により変更された前記閾値を下回る場合に、前記判断処理による前記送受信処理に異常が生じているとした判断が誤りであり、前記送受信処理に異常が生じていないと判断する取消処理と、
をさらに実行することを特徴とする請求項８に記載の画像処理装置。
【請求項１０】
通信対象機器との間で、無線通信を行うための通信部と、
前記通信対象機器との間で、中継装置を介さない無線通信にて送信元から受信元へデータを送信する際に、当該データの送信に応答して当該受信元から当該送信元に対して送信される応答信号の一定期間の通信量の閾値を記憶するための記憶部と、
前記通信部を制御するための制御部と
を備え、
前記制御部は、
前記通信対象機器との間で前記中継装置を介さない無線通信にて送信元から受信元へデータを送信し、このデータの送信に応答して当該受信元から当該送信元に前記応答信号を送信する送受信処理と、
前記送受信処理のときに、前記中継装置を介さない無線通信にて受信元から送信元へ送信される前記応答信号の前記一定期間の通信量を監視する監視処理と、
前記監視処理により監視した前記応答信号の前記一定期間の通信量が前記閾値を超えた場合に、前記送受信処理に異常が生じていると判断する判断処理と
を実行することを特徴とする通信装置。
【発明の詳細な説明】
【技術分野】
【０００１】
本発明は、画像処理装置、及び通信装置に関する。
【背景技術】
【０００２】
特許文献１には、画像処理装置として、携帯端末との間で無線通信を実行可能な複合機が開示されている。この複合機では、携帯端末からユーザ認証に必要な認証情報を取得し、当該取得した認証情報と、自装置の使用を許可されたユーザの認証情報である許可情報とに基づいてユーザ認証を行うことで、なりすましのログインを防止している。
【先行技術文献】
【特許文献】
【０００３】
【特許文献１】特開２０１５−１０３１６２号公報
【発明の概要】
【発明が解決しようとする課題】
【０００４】
ところで、画像処理装置には、機器同士を中継装置を介さずに接続する無線通信方式を利用して、携帯端末との間でデータの送受信を行う装置も知られている。この種の無線通信方式には、例えば、アクセスポイントを介さずに機器同士を直接接続するアドホックモードによる無線通信や、Wi-Fi（登録商標）の一種で、機器にアクセスポイントの機能を持たせることで、機器同士を直接接続可能とするWi-Fiダイレクト（登録商標）などがある。
【０００５】
このような機器同士を中継装置を介さずに接続する無線通信方式を利用すると、携帯端末との間の無線通信環境を容易に構築することができる反面、中継装置を介さない分だけセキュリティが低下する。従って、例えば、画像処理装置が、不正プログラムがインストールされている携帯端末との間でデータの送受信を行った場合、画像処理装置内のデータの外部への流出などの異常が生じ得る。
【０００６】
特許文献１に記載された複合機では、なりすましのログインを防止することは可能であるが、ユーザの意図とは関係なく携帯端末に不正プログラムがインストールされていた場合には、複合機内のデータの外部への流出などが生じ、且つ、その異常を検出することができない。
【０００７】
そこで、本発明の目的は、中継装置を介さない無線通信によるデータの送受信処理において、当該送受信処理に異常が生じていることを判断することができる、画像処理装置及び通信装置を提供することである。
【課題を解決するための手段】
【０００８】
上記の課題を解決するために、第１の発明に係る画像処理装置は、携帯端末と通信可能な画像処理装置であって、前記携帯端末との間で、無線通信を行うための通信部と、中継装置を介さない無線通信にて前記携帯端末から画像データを受信する際に、この画像データの受信に応答して前記携帯端末に対して送信する応答信号の一定期間の通信量の閾値を記憶するための記憶部と、前記携帯端末から受信した画像データに従って、記録媒体に画像を記録するための画像記録部と、前記通信部を制御するための制御部とを備え、前記制御部は、前記中継装置を介さない無線通信にて前記携帯端末から画像データを受信し、この受信に応答して前記携帯端末に前記応答信号を送信する送受信処理と、前記送受信処理のときに、前記中継装置を介さない無線通信にて前記携帯端末に対して送信する前記応答信号の一定期間の通信量を監視する監視処理と、前記監視処理により監視した前記応答信号の一定期間の通信量が前記閾値を超えた場合に、前記送受信処理に異常が生じていると判断する判断処理とを実行することを特徴とする。
【０００９】
また、第２の発明に係る画像処理装置は、携帯端末と通信可能な画像処理装置であって、前記携帯端末との間で、無線通信を行うための通信部と、記録媒体に記録された画像を読み取り、当該画像に係る画像データを生成する画像読取部と、前記画像読取部により生成された画像データを、中継装置を介さない無線通信にて前記携帯端末に送信する際に、この送信に応答して前記携帯端末から受信する応答信号の一定期間の通信量の閾値を記憶するための記憶部と、前記通信部を制御するための制御部とを備え、前記制御部は、前記中継装置を介さない無線通信にて前記携帯端末に画像データを送信し、この送信に応答して前記携帯端末から前記応答信号を受信する送受信処理と、前記送受信処理のときに、前記中継装置を介さない無線通信にて前記携帯端末から受信する前記応答信号の一定期間の通信量を監視する監視処理と、前記監視処理により監視した前記応答信号の一定期間の通信量が前記閾値を超えた場合に、前記送受信処理に異常が生じていると判断する判断処理とを実行することを特徴とする。
【００１０】
また、本発明の通信装置は、通信対象機器との間で、無線通信を行うための通信部と、前記通信対象機器との間で、中継装置を介さない無線通信にて送信元から受信元へデータを送信する際に、当該データの送信に応答して当該受信元から当該送信元に対して送信される応答信号の一定期間の通信量の閾値を記憶するための記憶部と、前記通信部を制御するための制御部とを備え、前記制御部は、前記通信対象機器との間で前記中継装置を介さない無線通信にて送信元から受信元へデータを送信し、このデータの送信に応答して当該受信元から当該送信元に前記応答信号を送信する送受信処理と、前記送受信処理のときに、前記中継装置を介さない無線通信にて受信元から送信元へ送信される前記応答信号の前記一定期間の通信量を監視する監視処理と、前記監視処理により監視した前記応答信号の前記一定期間の通信量が前記閾値を超えた場合に、前記送受信処理に異常が生じていると判断する判断処理とを実行することを特徴とする。
【発明の効果】
【００１１】
応答信号はデータ量が少ないため、通常は、応答信号に係る一定期間の通信量は所定の閾値以下となる。このため、応答信号の一定期間の通信量が閾値を超える場合には、データの受信元から送信元に対してデータが不正に送信されている可能性が高い。本発明では、この応答信号の一定期間の通信量を監視することで、当該一定時間の通信量が閾値を超えた場合に、異常が生じていると判断することができる。
【図面の簡単な説明】
【００１２】
【図１】複合機の電気的構成図である。
【図２】携帯端末の電気的構成図である。
【図３】画像記録指示に係る、複合機の動作フロー図である。
【図４】画像記録指示に係る、携帯端末と複合機との間のデータ通信の手順を示すシーケンス図である。
【図５】変形例に係る複合機の動作フロー図である。
【図６】画像読取指示に係る、複合機の動作フロー図である。
【図７】画像読取指示に係る、携帯端末と複合機との間のデータ通信の手順を示すシーケンス図である。
【発明を実施するための形態】
【００１３】
以下、本発明の画像処理装置及び通信装置を、複合機（ＭＦＰ：Ｍｕｌｔｉ  Ｆｕｎｃｔｉｏｎ  Ｐｅｒｉｐｈｅｒａｌ）１に適用して、図面を参照しつつ説明する。
【００１４】
複合機１は、画像記録機能や画像読取機能（スキャナ機能）を有する画像処理装置であり、図１に示すように、画像記録機構１１、画像読取機構１２、ユーザインターフェース１３、通信インターフェース１４、及び、これらを制御する制御装置５０を備えている。
【００１５】
画像記録機構１１は、インクジェット方式やレーザ方式の印刷機構であり、制御装置５０からの指示に従い、用紙等の記録媒体に対して、画像データに従った画像を記録する。画像読取機構１２は、ＣＣＤやＣＩＳ等の画像読取機構であり、制御装置５０からの指示に従い、用紙等の記録媒体に記録された画像を読み取り、当該画像に係る画像データを生成する。
【００１６】
ユーザインターフェース１３は、ユーザに対する情報の出力、及び、ユーザからの入力を受け付けるためのインターフェースであり、操作キー１３ａ及びディスプレイ１３ｂ（出力装置）を備えている。操作キー１３ａは、ユーザからの入力を受け付けて、制御装置５０に出力する。ディスプレイ１３ｂは、制御装置５０からの指示に従い、種々の情報を表示（出力）する。
【００１７】
通信インターフェース１４は、無線又は有線により、携帯電話などの携帯端末１００やＰＣ２５０などの外部端末とデータの送受信を行うためのインターフェースである。通信インターフェース１４には、有線ネットワークインターフェース１５（以下、有線ネットワークＩ／Ｆ１５）、ＮＦＣインターフェース１６（以下、ＮＦＣ  Ｉ／Ｆ１６）、及び、無線ネットワークインターフェース１７（以下、無線ネットワークＩ／Ｆ１７）が含まれる。
【００１８】
有線ネットワークＩ／Ｆ１５は、ＬＡＮ回線を介して、ハブ機能を有するルータ８０に接続されている。そして、有線ネットワークＩ／Ｆ１５は、このルータ８０を介して、同一のネットワーク上にあるＰＣ２５０との間でデータ通信を行うことができる。また、有線ネットワークＩ／Ｆ１５は、このルータ８０を介してインターネット８５上にあるサーバ９０との間でデータ通信を行うことができる。なお、ルータ８０が無線通信のアクセスポイントの機能を有しており、有線ネットワークＩ／Ｆ１５がルータ８０を利用して、携帯端末１００との間で無線通信を行うことが可能に構成されていてもよい。
【００１９】
ＮＦＣ  Ｉ／Ｆ１６は、ＮＦＣ（Near Field Communication）規格の通信方式による近距離無線通信（以下、ＮＦＣ通信と称す。）を行うためのインターフェースである。ＮＦＣ規格は、ＩＳＯ／ＩＥＣ２１４８１又はＩＳＯ／ＩＥＣ１８０９２の国際標準規格である。ＮＦＣ通信は、１０ｃｍ程度の極近距離を通信可能距離とする近距離無線通信であり、送信元及び受信元の装置を近接（又は接触）させることで通信が確立される。なお、ＮＦＣ通信は、通信速度が遅いため、比較的小容量のデータの通信に用いられる。また、ＮＦＣ通信の場合、その通信可能距離の物理的制限から通信相手の特定が容易であり、その分、通信の確立が容易である。例えば、複合機１と携帯端末１００との間でＮＦＣ通信を確立させる際には、ユーザが通信対象機器となる複合機１に携帯端末１００を近接させる必要があるが、その行為自体が通信相手を指定することになり、ＮＦＣ通信が確立される。
【００２０】
無線ネットワークＩ／Ｆ１７は、中継装置であるアクセスポイント９５を介した、インフラストラクチャー・モードによる無線通信を実行可能である。また、無線ネットワークＩ／Ｆ１７は、アクセスポイントなどの中継装置を介さない無線通信方式の１種であるＷｉ−Ｆｉダイレクト方式の無線通信（以下、ＷＦＤ通信）を実行可能である。このＷＦＤ通信は、通信可能距離が数メートル〜数十メートル程度のローカルな無線通信である。
【００２１】
ここで、ＷＦＤ通信は、無線ネットワークを構築し、その無線ネットワーク内でデータの受け渡しを可能にする通信方式である。そのため、送信元及び受信元の通信対象機器間でデータ通信を行うには、無線ネットワークを構築する必要がある。そこで、本実施形態では、複合機１と携帯端末１００との間でＮＦＣ通信が確立されたときに、ＷＦＤ通信を確立させるための接続情報を、複合機１と携帯端末１００との間で送受信する。そして、この接続情報に基づいて、複合機１と携帯端末１００との間でＷＦＤ通信を確立（所謂、ハンドオーバー）するように構成されている。
【００２２】
制御装置５０は、ＣＰＵ５１と、メモリ５２とを有している。メモリ５２は、ＲＯＭ、ＲＡＭ、フラッシュメモリ等によって構成されており、ＣＰＵ５１によって実行されるプログラムが記憶されている。メモリ５２は、各種プログラムが読み出される作業領域として、或いはデータを一時的に記憶する記憶領域として利用される。また、メモリ５２には、後述する閾値が記憶されている。
【００２３】
次に、複合機１の通信対象機器となる携帯端末１００について説明する。携帯端末１００は、図２に示すように、タッチパネル１０１、ＮＦＣ  Ｉ／Ｆ１０２、無線ネットワークＩ／Ｆ１０３、及びこれらを制御する制御装置１２０を備えている。
【００２４】
タッチパネル１０１は、ユーザへの情報の表示、及び、ユーザからの入力の受付を行う。ＮＦＣ  Ｉ／Ｆ１０２は、複合機１のＮＦＣ  Ｉ／Ｆ１６と同様に、ＮＦＣ通信を可能にするインターフェースである。無線ネットワークＩ／Ｆ１０３は、複合機１の無線ネットワークＩ／Ｆ１７と同様に、インフラストラクチャー・モードによる無線通信や、ＷＦＤ通信を可能にするインターフェースである。
【００２５】
制御装置１２０は、ＣＰＵ１２１と、メモリ１２２とを備えている。メモリ１２２は、画像データを記憶可能である。また、メモリ１２２には、複合機１に対して画像記録指示や画像読取指示などの指示を行うためのアプリケーションプログラム（以下、アプリ）がインストールされている。携帯端末１００は、アプリが起動されている状態で、複合機１との間でＮＦＣ通信が確立されたときに、複合機１に対して指示に応じた種々の処理を実行させることができる。
【００２６】
本実施形態では、画像記録指示を行うためのアプリが起動されている状態で、ユーザが携帯端末１００を複合機１に近接させると、ハンドオーバーによりＮＦＣ通信から切り替えられたＷＦＤ通信にて、携帯端末１００から複合機１に画像データが送信される。そして、複合機１において、携帯端末１００から受信した画像データに従って、画像を記録媒体に記録する画像記録処理が実行される。
【００２７】
また、画像読取指示を行うためのアプリが起動されている状態で、ユーザが携帯端末１００を複合機１に近接させると、複合機１において、記録媒体に記録された画像を読み取り、当該画像に係る画像データを生成する画像読取処理が実行される。この後、画像読取処理において生成された画像データが、ハンドオーバーによりＮＦＣ通信から切り替えられたＷＦＤ通信にて、複合機１から携帯端末１００に画像データが送信される。
【００２８】
ところで、携帯端末１００のメモリ１２２に不正プログラムが格納されており、この不正プログラムが複合機１に送信された場合、複合機１のメモリ５２内のデータの漏洩などの異常が生じ得る。ここで、上述のように、アクセスポイント９５やルータ８０などの中継装置を利用した無線通信の場合、これらの中継装置のセキュリティ機能により、携帯端末１００からの不正プログラムが複合機１に侵入することを防ぐことは可能である。
【００２９】
これに対して、ＷＦＤ通信の場合、中継装置を介さない無線通信であるため、中継装置を介する無線通信と比べてセキュリティが低い。このため、ＷＦＤ通信の場合には、携帯端末１００からの不正プログラムが複合機１に侵入する可能性が高く、複合機１に異常が生じやすい。このため、上述の画像記録指示や画像読取指示に関して、携帯端末１００と複合機１との間で、ＷＦＤ通信にて画像データが送受信される際に、携帯端末１００から送信された不正プログラムが複合機１に侵入する虞がある。
【００３０】
ここで、複合機１にセキュリティソフトを導入して不正プログラムの侵入を検知することも考えられるが、種々の不正プログラムに対応すべくセキュリティソフトを常に更新する必要があるため、この更新に係る負担が大きくなる。また、セキュリティソフトを導入したとしても不正プログラムの侵入を全て検知できるとは限らない。
【００３１】
そこで、本実施形態では、携帯端末１００と複合機１との間で、ＷＦＤ通信にて画像データが送受信される際に、複合機１のＣＰＵ５１が、この画像データの受信元から送信元に対して送信される応答信号の一定時間の通信量を監視する。そして、ＣＰＵ５１は、応答信号の一定時間の通信量が所定の閾値（上限値）を超えた場合に、画像データの送受信において異常が生じていると判断するように構成されている。以下、具体的に説明する。
【００３２】
なお、応答信号の一定時間の通信量とは、単位時間当たりの応答信号の通信量や、画像データの送受信が開始した時点から現在の時点までの期間の応答信号の総通信量などの通信量である。以下では、応答信号の一定時間の通信量が、単位時間当たりの応答信号の通信量であるものとして説明する。
【００３３】
上記の応答信号は、ＡＣＫ（Acknowledgements）信号や、ＮＡＣＫ（Negative ACKnowledgement）信号などの、データの受信に応じて受信元から送信元に対して送信される応答信号である。ＡＣＫ信号は、データ送受信の際に、受信元でデータを正常に受信したときに受信元から送信元に送信される応答信号である。ＮＡＣＫは、データ送受信の際に、受信元でデータを正常に受信しなかったときに受信元から送信元に送信される応答信号である。
【００３４】
通常、これらの応答信号は、画像データ等とは異なりデータ量が少ないため、データの受信元から送信元に送信される応答信号の一定期間の通信量は少ない。しかしながら、携帯端末１００から複合機１に対して不正プログラムが送信される際には、画像データの受信元から送信元に送信されるデータ量が多くなり、当該応答信号の一定時間の通信量が多くなる。
【００３５】
例えば、携帯端末１００から複合機１に対して画像記録指示が行われた場合には、携帯端末１００から複合機１に対してＷＦＤ通信にて画像データが送信されることになる。このとき、複合機１のメモリ５２に記憶されたデータが、当該ＷＦＤ通信にて携帯端末１００に対して不正に送信されている場合には、応答信号の一定期間の通信量が多くなる。
【００３６】
また、携帯端末１００から複合機１に対して画像読取指示が行われた場合には、複合機１から携帯端末１００に対してＷＦＤ通信にて画像データが送信されることになる。このとき、携帯端末１００から複合機１に対して不正プログラムが当該ＷＦＤ通信にて送信されている場合には、応答信号の一定期間の通信量が多くなる。
【００３７】
以上のように、携帯端末１００と複合機１との間で画像データ及び応答信号の送受信を行う送受信処理において、応答信号の一定期間の通信量が多い場合には、この送受信処理において異常が生じている可能性が高い。従って、本実施形態では、複合機１のＣＰＵ５１は、応答信号の一定時間の通信量が、メモリ５２に記憶されている所定の閾値を超えた場合に、送受信処理において異常が生じていると判断するように構成されている。なお、後で詳細に説明するが、このメモリ５２に記憶された閾値は、携帯端末１００と複合機１との間でのＷＦＤ通信の通信速度に応じて変更される。
【００３８】
ここで、送受信処理の際に、応答信号の一定時間の通信量が、不正プログラム以外の他の要因により閾値を超える場合がある。そこで、本実施形態では、複合機１のＣＰＵ５１は、送受信処理において異常が生じていると判断したときには、この判断の正否をサーバ９０（外部装置）に問い合わせるように構成されている。以下、具体的に説明する。
【００３９】
ＣＰＵ５１は、送受信処理において異常が生じていると判断したときに、その判断した異常に係る異常候補情報を、インターネット８５を介してサーバ９０に送信する。この異常候補情報には、サーバ９０において、ＣＰＵ５１の上記判断の正否を行うのに必要な種々の情報が含まれる。例えば、異常候補情報には、送受信処理において異常が生じていると判断したときの、応答信号の一定期間の通信量やメモリ５２に記憶されている閾値、並びに、複合機１と携帯端末１００との間の通信速度や、携帯端末１００が複合機１に対して行った指示内容（画像記録指示や画像読取指示）などの情報が含まれる。
【００４０】
サーバ９０は、図１に示すように、制御装置９１、及びデータベース９２を備えている。データベース９２には、上記送受信処理において生じ得る異常に係る複数の異常情報が格納されている。これらの異常情報は、それぞれ、携帯端末１００から複合機１に対して不正プログラムがＷＦＤ通信にて送信されるときに、送受信処理において生じ得る現象についての情報が含まれる。従って、この異常情報には、例えば、携帯端末１００から複合機１に対して不正プログラムがＷＦＤ通信にて送信されるときの、応答信号の一定期間の通信量やメモリ５２に記憶されている閾値、並びに、複合機１と携帯端末１００との間の通信速度や、携帯端末１００が複合機１に対して行った指示内容（画像記録指示や画像読取指示）が含まれる。また、データベース９２に格納されている、これらの異常情報については、所定期間毎に新しい内容に更新されるように構成されている。
【００４１】
サーバ９０の制御装置９１は、複合機１から異常候補情報を受信したときに、この異常候補情報がデータベース９２に格納された異常情報の何れかと一致するかを判定することで、この異常候補情報に係る複合機１における異常判断が正しいか否かを決定する。その後、制御装置９１は、その決定結果をインターネット８５を介して複合機１に送信する。これにより、複合機１のＣＰＵ５１は、送受信処理に異常が生じているか否かをより正確に決定することが可能となる。
【００４２】
続いて、携帯端末１００から画像記録指示を受けた際の、複合機１のＣＰＵ５１が、メモリ５２に記録されたプログラムに従って実行する処理の一例について、図３を参照しつつ説明する。
【００４３】
まず、携帯端末１００が複合機１に近接されたとき、ＣＰＵ５１は、ＮＦＣ  Ｉ／Ｆ１６を制御して、携帯端末１００との間でＮＦＣ通信を確立する（Ａ１）。このとき、このＮＦＣ通信を通じて携帯端末１００と複合機１との間で、ＷＦＤ通信を確立するために必要なＷＦＤ接続情報が送受信される。また、複合機１は、携帯端末１００からＮＦＣ通信にて画像記録指示を受信する。
【００４４】
次に、ＣＰＵ５１は、無線ネットワークＩ／Ｆ１７を制御して、Ａ１の処理で携帯端末１００と複合機１との間で送受信されたＷＦＤ接続情報を利用して、携帯端末１００との間でＷＦＤ通信を確立する（Ａ２）。この後、ＣＰＵ５１は、無線ネットワークＩ／Ｆ１７を制御して、複合機１と携帯端末１００との間のＷＦＤ通信の通信速度を計測する（Ａ３）。例えば、ＣＰＵ５１は、ＷＦＤ通信にて、携帯端末１００に対してテストデータを送信することで、複合機１から携帯端末１００に向かう方向のＷＦＤ通信の通信速度を計測する。この後、ＣＰＵ５１は、メモリ５２に記憶された閾値が、Ａ３で計測した通信速度に応じた適切な値であるか否かを判断する（Ａ４）。閾値が適切な値であると判断した場合（Ａ４：ＹＥＳ）には、Ａ６の処理に移る。
【００４５】
一方で、閾値が適切な値ではないと判断した場合（Ａ４：ＮＯ）には、ＣＰＵ５１は、メモリ５２に記憶された閾値を、通信速度に応じた適切な値にすべく補正する（Ａ５）。具体的には、Ａ３で計測した通信速度が、メモリ５２に記憶された閾値に対応する通信速度よりも速い場合には、メモリ５２に記憶された閾値を大きくする補正をする。一方で、Ａ３で計測した通信速度が、メモリ５２に記憶された閾値に対応する通信速度よりも遅い場合には、メモリ５２に記憶された閾値を小さくする補正をする。これにより、メモリ５２に記憶された閾値を、計測した通信速度に応じた適切な値にすることができる。この後、Ａ６の処理に移る。
【００４６】
Ａ６の処理では、ＣＰＵ５１は、無線ネットワークＩ／Ｆ１７を制御して、ＷＦＤ通信にて、携帯端末１００から画像データを受信し、且つこの受信に応答する応答データを携帯端末１００に送信する送受信処理を開始する。また、このとき、ＣＰＵ５１は、この送受信処理のときの応答信号の一定期間の通信量を監視する監視処理を開始する。この後、ＣＰＵ５１は、画像データを携帯端末１００から受信中であることを示す受信中画面をディスプレイ１３ｂに表示させる（Ａ７）。次に、ＣＰＵ５１は、監視処理により監視した応答信号の一定期間の通信量が閾値を超えたか否かを判断する（Ａ８）。応答信号の一定期間の通信量が閾値未満であると判断した場合（Ａ８：ＮＯ）には、ＣＰＵ５１は、送受信処理に異常が生じていないと判断して、Ａ１９の処理に移る。
【００４７】
一方で、応答信号の一定期間の通信量が閾値を超えたと判断した場合（Ａ８：ＹＥＳ）には、ＣＰＵ５１は、送受信処理に異常が生じていると判断して、無線ネットワークＩ／Ｆ１７を制御して、送受信処理を中断する（Ａ９）。なお、このとき、ディスプレイ１３ｂには、上記受信中画面を表示させたままにしておく。
【００４８】
次に、ＣＰＵ５１は、無線ネットワークＩ／Ｆ１７を制御して、ＷＦＤ通信にて、携帯端末１００に対してテストデータを送信し、複合機１から携帯端末１００に向かう方向のＷＦＤ通信の通信速度を再計測する（Ａ１０）。そして、ＣＰＵ５１は、再計測した通信速度が、Ａ３の処理で計測したときの通信速度よりも上昇している（速い）か否かを判断する（Ａ１１）。通信速度が上昇していないと判断した場合（Ａ１１：ＮＯ）には、Ａ１４の処理に移る。
【００４９】
一方で、通信速度が上昇していると判断した場合（Ａ１１：ＹＥＳ）には、ＣＰＵ５１は、メモリ５２に記憶された閾値を、Ａ１０の処理で再計測した通信速度に応じて大きくする補正する（Ａ１２）。次に、ＣＰＵ５１は、Ａ８の処理の判断で用いた、応答信号の一定期間の通信量が、この補正後の閾値も超えているか否かを判断する（Ａ１３）。応答信号の一定期間の通信量が、補正後の閾値も超えていると判断した場合（Ａ１３：ＹＥＳ）には、Ａ１４の処理に移る。一方で、応答信号の一定期間の通信量が、補正後の閾値を下回ると判断した場合（Ａ１３：ＮＯ）には、Ａ９の処理で送受信処理に異常が生じているとした判断が誤りであり、送受信処理には異常が生じていないとして、Ａ１８の処理に移る。このように、現在の通信速度に応じて変更された閾値と、応答信号の一定期間の通信量とを比較することで、送受信処理に異常が生じているか否かをより正確に判断することができる。
【００５０】
Ａ１４の処理では、ＣＰＵ５１は、有線ネットワークＩ／Ｆ１５を制御して、Ａ９の処理で判断した異常に係る異常候補情報をサーバ９０に送信し、Ａ９の処理における異常判断の正否を決定した決定結果をサーバ９０から受信する問合処理を実行する。
【００５１】
そして、ＣＰＵ５１は、問合処理において、サーバ９０から受信した決定結果が、Ａ９の処理における異常の判断が正しいとする結果であった場合（Ａ１５：ＹＥＳ）には、ＣＰＵ５１は、送受信処理に異常が生じていると決定して、無線ネットワークＩ／Ｆ１７を制御して、送受信処理の中断を継続し、且つ、携帯端末１００との間のＷＦＤ通信を切断する（Ａ１６）。また、このとき、ＣＰＵ５１は、携帯端末１００からの画像データの受信が中断したことを示す中断画面をディスプレイ１３ｂに表示させる。この後、本処理を終了する。
【００５２】
一方で、Ａ１５の処理で、問合処理においてサーバ９０から受信した決定結果が、Ａ９の処理における異常の判断が正しくないとする結果であった場合（Ａ１５：ＮＯ）には、ＣＰＵ５１は、メモリ５２に記憶された閾値が適切ではないとして、この閾値を大きくする補正をする（Ａ１７）。具体的には、ＣＰＵ５１は、メモリ５２に記憶された閾値を、Ａ８の処理の判断で用いた応答信号の一定期間の通信量と同じ値、又は、測定誤差等を考慮して所定値だけ大きい値に補正する。この後、Ａ１８の処理に移る。
【００５３】
Ａ１８の処理では、ＣＰＵ５１は、送受信処理に異常が生じていないとして、無線ネットワークＩ／Ｆ１７を制御して、中断していた送受信処理を再開して、Ａ１９の処理に移る。
【００５４】
Ａ１９の処理では、ＣＰＵ５１は、携帯端末１００からの画像データの受信が終了したか否かを判断する。そして、携帯端末１００からの画像データの受信が終了していないと判断した場合（Ａ１９：ＮＯ）には、Ａ８の処理に戻る。一方で、携帯端末１００からの画像データの受信が終了したと判断した場合（Ａ１９：ＹＥＳ）には、ＣＰＵ５１は、携帯端末１００からの画像データの受信が終了したことを示す終了画面をディスプレイ１３ｂに表示させ、且つ、携帯端末１００から受信した画像データに従って、記録媒体に画像を記録するよう画像記録機構１１を制御する（Ａ２０）。Ａ１９の処理が終了すると、本処理を終了する。
【００５５】
続いて、図４を参照しつつ、画像記録指示に係る、携帯端末１００と複合機１との間における主なデータ通信手順について説明する。なお、図４中の「ＡＬＴ」は、分岐処理を示すフラグメントである。
【００５６】
まず、携帯端末１００において、メモリ１２２に記憶された画像データのなかから、画像記録処理の対象となる画像データが、タッチパネル１０１を介してユーザにより選択される（Ｓ１）。この後、ユーザが携帯端末１００を複合機１に近接させることによりＮＦＣ通信が確立すると（Ｓ２）、携帯端末１００は、画像記録指示をＮＦＣ通信にて複合機１に送信する（Ｓ３）。次に、ＮＦＣ通信を通じて送受信されたＷＦＤ接続情報を利用して、携帯端末１００と複合機１との間でＷＦＤ通信を確立する（Ｓ４）。次に、この確立したＷＦＤ通信にて、携帯端末１００から複合機１に対して、Ｓ１の処理で選択された画像データを送信し、且つ、複合機１から携帯端末１００に対して応答信号を送信する送受信処理が開始される（Ｓ５）。
【００５７】
そして、送受信処理に異常が生じていると複合機１が決定することなく、携帯端末１００から複合機１への画像データの送信が終了すると、複合機１において当該画像データに係る画像記録処理が行われる（Ｓ６）。この後、携帯端末１００と複合機１との間のＷＦＤ通信が切断されて（Ｓ７）、本処理を終了する。
【００５８】
一方で、携帯端末１００から複合機１への画像データの送信が終了する前に、送受信処理に異常が生じていると複合機１が決定した場合には、送受信処理は中断される（Ｓ８）。この後、携帯端末１００と複合機１との間のＷＦＤ通信が切断されて（Ｓ９）、本処理を終了する。
【００５９】
以上、本実施形態によると、複合機１は、応答信号の一定期間の通信量と、メモリ５２に記憶された閾値とに基づいて、送受信処理に異常が生じているか否かを判断することができる。また、複合機１が、送受信処理に異常が生じていると判断した場合には、送受信処理が中断されるため、複合機１から携帯端末１００に対して不正にデータが流出することを防ぐことができる。
【００６０】
また、本実施形態によると、複合機１が送受信処理に異常が生じていると判断した場合には、複合機１からサーバ９０に対して、その判断の正否の問い合せが行われる。このように、複合機１が、サーバ９０に対して問い合せを行うことで、送受信処理に異常が生じているか否かをより正確に決定することができる。
【００６１】
また、複合機１が送受信処理に異常が生じていると判断した場合には、サーバ９０に対して問い合せを行う前に送受信処理が中断されるため、複合機１から携帯端末１００に対して不正にデータが流出することを早く防ぐことができる。
【００６２】
また、複合機１が送受信処理に異常が生じていると判断したときから、サーバ９０から決定結果を受信するまでの送受信処理を中断している期間においても、送受信処理を実行しているときと同様に、ディスプレイ１３ｂには受信中画面が表示される。このため、送受信処理に実際には異常が生じていない場合において、ユーザが不要な懸念を抱くことを抑制することができる。
【００６３】
次に、携帯端末１００から画像記録指示を受けた際の、複合機１の動作の変形例について、図５を参照して説明する。本変形例では、図５に示すように、送受信処理のときの応答信号の一定期間の通信量が閾値を超えて（Ａ８：ＹＥＳ）、ＣＰＵ５１が、送受信処理に異常が生じていると判断した（Ａ５０）ときには、送受信処理の中断を行わない。Ａ１４の問合処理において、サーバ９０から受信した決定結果が、Ａ９の処理における異常の判断が正しいとする結果であった場合（Ａ１５：ＹＥＳ）に、ＣＰＵ５１が、無線ネットワークＩ／Ｆ１７を制御して、送受信処理を中断する（Ａ５１）。
【００６４】
以上、本変形例では、送受信処理において、実際には異常が生じていないにも関わらず、当該送受信処理が不要に中断されることを抑制することができる。
【００６５】
続いて、携帯端末１００から画像読取指示を受けた際の、複合機１のＣＰＵ５１が、メモリ５２に記録されたプログラムに従って実行する処理の一例について、図６を参照しつつ説明する。
【００６６】
まず、携帯端末１００が複合機１に近接されたとき、ＣＰＵ５１は、ＮＦＣ  Ｉ／Ｆ１６を制御して、携帯端末１００との間でＮＦＣ通信を確立する（Ｂ１）。このとき、複合機１は、携帯端末１００からＮＦＣ通信にて画像読取指示を受信する。次に、ＣＰＵ５１は、画像読取機構１２を制御して、記録媒体に記録されていた画像を読み取り、当該画像に係る画像データを生成する（Ｂ２）。
【００６７】
次に、ＣＰＵ５１は、無線ネットワークＩ／Ｆ１７を制御して、携帯端末１００との間でＷＦＤ通信を確立する（Ｂ３）。この後、ＣＰＵ５１は、無線ネットワークＩ／Ｆ１７を制御して、ＷＦＤ通信にて、携帯端末１００からテストデータを受信し、携帯端末１００から複合機１に向かう方向のＷＦＤ通信の通信速度を計測する（Ｂ４）。この後、ＣＰＵ５１は、メモリ５２に記憶された閾値が、Ｂ４で計測した通信速度に応じた適切な値であるか否かを判断する（Ｂ５）。閾値が適切な値であると判断した場合（Ｂ５：ＹＥＳ）には、Ｂ７の処理に移る。一方で、閾値が適切な値ではないと判断した場合（Ｂ５：ＮＯ）には、ＣＰＵ５１は、メモリ５２に記憶された閾値を計測した通信速度に応じて補正して（Ｂ６）、Ｂ７の処理に移る。
【００６８】
Ｂ７の処理では、ＣＰＵ５１は、無線ネットワークＩ／Ｆ１７を制御して、ＷＦＤ通信にて、携帯端末１００に対してＢ２で生成した画像データを送信し、且つ応答データを携帯端末１００から受信する送受信処理を開始する。また、このとき、ＣＰＵ５１は、この送受信処理のときの応答信号の一定期間の通信量を監視する監視処理を開始する。
【００６９】
以下、Ｂ８〜Ｂ１４の処理は、送受信処理における画像データ及び応答信号の送信方向がそれぞれ異なるだけで、上述の図３を参照して説明したＡ７〜Ａ１３の処理と略同様な処理であるため、説明を省略する。
【００７０】
Ｂ１２の処理で、Ｂ１１の処理で再計測した通信速度が、Ｂ４の処理で計測したときの通信速度よりも上昇していないと判断した場合（Ｂ１２：ＮＯ）、又は、Ｂ１４の処理で、Ｂ９の処理の判断で用いた、応答信号の一定期間の通信量が、補正後の閾値も超えているかと判断した場合（Ｂ１４：ＹＥＳ）には、ＣＰＵ５１は、Ｂ１０の処理で送受信処理に異常が生じているとした判断が正しいと決定する（Ｂ１６）。そして、ＣＰＵ５１は、無線ネットワークＩ／Ｆ１７を制御して、携帯端末１００との間のＷＦＤ通信を切断し、且つ、携帯端末１００からの画像データの受信が中断したことを示す中断画面をディスプレイ１３ｂに表示させる（Ｂ１７）。この後、本処理を終了する。
【００７１】
また、Ｂ１４の処理で、Ｂ９の処理の判断で用いた、応答信号の一定期間の通信量が、補正後の閾値を下回ると判断した場合（Ｂ１４：ＮＯ）には、ＣＰＵ５１は、Ｂ１０の処理で送受信処理に異常が生じているとした判断が誤りであり、送受信処理には異常が生じていないとして、無線ネットワークＩ／Ｆ１７を制御して、中断していた送受信処理を再開する（Ｂ１５）。この後、Ｂ１８の処理に移る。
【００７２】
Ｂ１８の処理では、ＣＰＵ５１は、携帯端末１００に対する画像データの送信が終了したか否かを判断する。携帯端末１００に対する画像データの送信が終了していないと判断した場合（Ｂ１８：ＮＯ）には、Ｂ９の処理に戻る。一方で、携帯端末１００に対する画像データの送信が終了したと判断した場合（Ｂ１８：ＹＥＳ）には、ＣＰＵ５１は、携帯端末１００への画像データの送信が終了したことを示す終了画面をディスプレイ１３ｂに表示させ（Ｂ１９）、本処理を終了する。
【００７３】
続いて、図７を参照しつつ、画像読取指示に係る、携帯端末１００と複合機１との間における主なデータ通信手順について説明する。
【００７４】
ユーザが携帯端末１００を複合機１に近接させることによりＮＦＣ通信が確立すると（Ｃ１）、携帯端末１００は、画像読取指示をＮＦＣ通信にて複合機１に送信する（Ｃ２）。次に、複合機１は、記録媒体に記録されていた画像を読み取り、当該画像に係る画像データを生成する画像読取処理を実行する（Ｃ３）。この後、ＮＦＣ通信を通じて送受信されたＷＦＤ接続情報を利用して、携帯端末１００と複合機１との間でＷＦＤ通信を確立する（Ｃ４）。次に、この確立したＷＦＤ通信にて、複合機１が携帯端末１００に対して生成された画像データを送信し、且つ、携帯端末１００が複合機１に対して応答信号を送信する送受信処理が開始される（Ｃ５）。
【００７５】
そして、送受信処理に異常が生じていると複合機１が決定することなく、複合機１から携帯端末１００への画像データの送信が終了すると、携帯端末１００と複合機１との間のＷＦＤ通信が切断されて（Ｃ６）、本処理を終了する。
【００７６】
一方で、複合機１から携帯端末１００への画像データの送信が終了する前に、送受信処理に異常が生じていると複合機１が決定した場合には、送受信処理は中断される（Ｃ７）。この後、携帯端末１００と複合機１との間のＷＦＤ通信が切断されて（Ｃ８）、本処理を終了する。
【００７７】
以上、画像読取指示に係る処理についても、複合機１は、応答信号の一定期間の通信量と、メモリ５２に記憶された閾値とに基づいて、送受信処理に異常が生じているか否かを判断することができる。また、複合機１が、送受信処理に異常が生じていると判断した場合には、送受信処理が中断されるため、携帯端末１００から複合機１に対して不正プログラムが侵入することを防ぐことができる。
【００７８】
以上、本発明の好適な実施形態について説明したが、本発明は上述の実施形態に限られるものではなく、特許請求の範囲に記載した限りにおいて様々な変更が可能なものである。従って、本発明の技術思想の範囲内において、上述の実施形態を組み合わせたり、一部の構成を変更したりしてもよい。例えば、携帯端末１００から画像読取指示を受けた際の、複合機１の動作においても、ＣＰＵ５１が、異常が生じていると判断したときは、その判断の正否をサーバ９０に問い合わせる構成にされていてもよい。反対に、携帯端末１００から画像記録指示を受けた際の、複合機１の動作において、ＣＰＵ５１が、異常が生じていると判断したときは、その判断の正否をサーバ９０に問い合わせない構成にされていてもよい。
【００７９】
また、メモリ５２に記憶された閾値は、複合機１と携帯端末１００との間のＷＦＤ通信の通信速度に応じて変更される構成にされていたが、固定の閾値であってもよい。また、サーバ９０などの外部装置からの指示に基づいて閾値が変更される構成にされていてもよい。また、メモリ５２に記憶された閾値が、送受信処理において、携帯端末１００と複合機１との間のＷＦＤ通信の通信速度に応じて随時更新されるように構成されていてもよい。
【００８０】
また、上述の実施形態では、複合機１と携帯端末１００との間での、画像データ及び応答信号の送受信は、ＷＦＤ通信を介して行われていたが、特にこれに限定されるものではなく、中継装置を介さない無線通信であればよい。従って、例えば、複合機１と携帯端末１００との間での、画像データ及び応答信号の送受信がアドホックモードの無線通信により行うように構成されていてもよい。
【００８１】
また、ＣＰＵ５１が、送受信処理において異常が生じたと判断したときにおいても、当該送受信処理の中断を行わないように構成されていてもよい。また、送受信処理において送受信されるデータが、画像データ以外のデータであってもよい。また、ＷＦＤ通信における応答信号の一定期間の通信量の監視、及び、送受信処理における以上の判断を携帯端末１００で行うように構成されていてもよい。本発明の画像処理装置及び通信装置は、複合機以外の種々の装置に適用することができる。
【符号の説明】
【００８２】
１  複合機（画像処理装置、通信装置）
１１  画像記録機構（画像記録部）
１２  画像読取機構（画像読取部）
１４  通信インターフェース（通信部）
５１  ＣＰＵ（制御部）
５２  メモリ（記憶部）
１００  携帯端末
【図１】
2020187771.tif 000003
【図２】
2020187771.tif 000004
【図３】
2020187771.tif 000005
【図４】
2020187771.tif 000006
【図５】
2020187771.tif 000007
【図６】
2020187771.tif 000008
【図７】
2020187771.tif 000009
【手続補正書】
【提出日】令和2年8月5日(2020.8.5)
【手続補正１】
【補正対象書類名】特許請求の範囲
【補正対象項目名】全文
【補正方法】変更
【補正の内容】
【特許請求の範囲】
【請求項１】
端末装置と通信可能な画像処理装置であって、
前記端末装置との間で、無線通信を行うための通信部と、
前記通信部を制御するための制御部と
を備え、
前記制御部は、
前記無線通信にて前記端末装置とデータの通信を実行する送受信処理と、
前記送受信処理のときに、前記無線通信による前記端末装置との通信に基づき、前記端末装置及び前記画像処理装置のいずれかにおいて不正の処理が行われ、前記送受信処理に異常が生じていると判断する判断処理と、
前記判断処理において、前記送受信処理に異常が生じていると判断したときに、当該判断した異常に係る異常候補情報を外部装置に送信する問合処理であって、前記外部装置は、前記送受信処理において生じ得る異常に係る異常情報を格納したデータベースと、前記画像処理装置から前記判断処理により判断された異常に係る前記異常候補情報を受信したときに、当該異常候補情報が前記データベースに格納された異常情報の何れかと一致するか否かを判定することで前記判断処理による判断が正しいか否かを決定し、その決定結果を前記画像処理装置に送信する決定手段とを備える、前記問合処理と、を実行し、
前記問合処理において、前記外部装置から受信した前記決定結果が前記判断処理における前記判断が正しいとする結果であった場合には、前記送受信処理を中断し、
前記問合処理において、前記外部装置から受信した前記決定結果が前記判断処理における前記判断が正しくないとする結果であった場合には、前記送受信処理を継続することを特徴とする画像処理装置。
【請求項２】
端末装置と通信可能な画像処理装置であって、
前記端末装置との間で、無線通信を行うための通信部と、
前記通信部を制御するための制御部と
を備え、
前記制御部は、
前記無線通信にて前記端末装置とデータの通信を実行する送受信処理と、
前記送受信処理のときに、前記無線通信による前記端末装置との通信に基づき、前記端末装置及び前記画像処理装置のいずれかにおいて不正の処理が行われ、前記送受信処理に異常が生じていると判断する判断処理と、
前記判断処理において、前記送受信処理に異常が生じていると判断したときに、当該判断した異常に係る異常候補情報を外部装置に送信する問合処理であって、前記外部装置は、前記送受信処理において生じ得る異常に係る異常情報を格納したデータベースと、前記画像処理装置から前記判断処理により判断された異常に係る前記異常候補情報を受信したときに、当該異常候補情報が前記データベースに格納された異常情報の何れかと一致するか否かを判定することで前記判断処理による判断が正しいか否かを決定し、その決定結果を前記画像処理装置に送信する決定手段とを備える、前記問合処理と、を実行し、
前記判断処理により前記送受信処理に異常が生じていると判断したときから、前記問合処理において前記決定結果を受信するまでの間、前記送受信処理を中断し、
前記問合処理において、前記外部装置から受信した前記決定結果が前記判断処理における前記判断が正しいとする結果であった場合には、前記送受信処理の中断を継続し、
前記問合処理において、前記外部装置から受信した前記決定結果が前記判断処理における前記判断が正しくないとする結果であった場合には、前記送受信処理を再開することを特徴とする画像処理装置。
【請求項３】
ユーザに情報を出力する出力装置を更に備え、
前記制御部は、
前記送受信処理を実行している期間、及び、前記判断処理により前記送受信処理に異常が生じていると判断したときから、前記問合処理において前記決定結果を受信するまでの期間に、前記出力装置に画像データの送受信中であることを示す情報を出力させ、且つ、
前記問合処理において、前記外部装置から受信した前記決定結果が前記判断処理における前記判断が正しいとする結果であった場合に、前記出力装置に画像データの送受信を中断したことを示す情報を出力させる出力処理をさらに実行することを特徴とする請求項１又は２に記載の画像処理装置。
【請求項４】
前記送受信処理は、中継装置を介さない前記無線通信にて前記端末装置と前記データの通信を実現することを特徴とする請求項１〜３のいずれか１項に記載の画像処理装置。
【請求項５】
前記問合処理は、インターネットを介して当該画像処理装置と接続される前記外部装置に、前記異常候補情報を送信することを特徴とする請求項１〜４のいずれか１項に記載の画像処理装置。
【請求項６】
前記端末装置から受信した第１画像データに従って、記録媒体に画像を記録するための画像記録部、を備え、
前記送受信処理は、前記端末装置から前記データとして、前記第１画像データを受信し、
前記問合処理において、前記外部装置から受信した前記決定結果が前記判断処理における判断が正しいとする結果であった場合には、前記端末装置から受信した前記第１画像データに従って、前記記録媒体に画像を記録せず、前記外部装置から受信した前記決定結果が前記判断処理における判断が正しくないとする結果であった場合には、前記画像記録部により、前記端末装置から受信した前記第１画像データに従って、前記記録媒体に画像を記録することを特徴とする請求項１〜５のいずれか１項に記載の画像処理装置。
【請求項７】
記録媒体に記録された画像を読み取り、当該画像に係る第２画像データを生成する画像読取部、を備え、
前記送受信処理は、前記端末装置に前記データとして、前記第２画像データを送信することを特徴とする請求項１〜６のいずれか１項に記載の画像処理装置。
【請求項８】
通信対象機器との間で、無線通信を行うための通信部と、
前記通信部を制御するための制御部と
を備え、
前記制御部は、
前記通信対象機器との間で前記無線通信にてデータの通信を実行する送受信処理と、
前記送受信処理のときに、前記無線通信による前記通信対象機器との通信に基づき、前記通信対象機器及び当該通信装置のいずれかにおいて不正の処理が行われ、前記送受信処理に異常が生じていると判断する判断処理と、
前記判断処理において、前記送受信処理に異常が生じていると判断したときに、当該判断した異常に係る異常候補情報を外部装置に送信する問合処理であって、前記外部装置は、前記送受信処理において生じ得る異常に係る異常情報を格納したデータベースと、当該通信装置から前記判断処理により判断された異常に係る前記異常候補情報を受信したときに、当該異常候補情報が前記データベースに格納された異常情報の何れかと一致するか否かを判定することで前記判断処理による判断が正しいか否かを決定し、その決定結果を当該通信装置に送信する決定手段とを備える、前記問合処理と、を実行し、
前記問合処理において、前記外部装置から受信した前記決定結果が前記判断処理における前記判断が正しいとする結果であった場合には、前記送受信処理を中断し、
前記問合処理において、前記外部装置から受信した前記決定結果が前記判断処理における前記判断が正しくないとする結果であった場合には、前記送受信処理を継続することを特徴とする通信装置。
【請求項９】
通信対象機器との間で、無線通信を行うための通信部と、
前記通信部を制御するための制御部と
を備え、
前記制御部は、
前記通信対象機器との間で前記無線通信にてデータの通信を実行する送受信処理と、
前記送受信処理のときに、前記無線通信による前記通信対象機器との通信に基づき、前記通信対象機器及び当該通信装置のいずれかにおいて不正の処理が行われ、前記送受信処理に異常が生じていると判断する判断処理と、
前記判断処理において、前記送受信処理に異常が生じていると判断したときに、当該判断した異常に係る異常候補情報を外部装置に送信する問合処理であって、前記外部装置は、前記送受信処理において生じ得る異常に係る異常情報を格納したデータベースと、当該通信装置から前記判断処理により判断された異常に係る前記異常候補情報を受信したときに、当該異常候補情報が前記データベースに格納された異常情報の何れかと一致するか否かを判定することで前記判断処理による判断が正しいか否かを決定し、その決定結果を当該通信装置に送信する決定手段とを備える、前記問合処理と、を実行し、
前記判断処理により前記送受信処理に異常が生じていると判断したときから、前記問合処理において前記決定結果を受信するまでの間、前記送受信処理を中断し、
前記問合処理において、前記外部装置から受信した前記決定結果が前記判断処理における前記判断が正しいとする結果であった場合には、前記送受信処理を中断し、
前記問合処理において、前記外部装置から受信した前記決定結果が前記判断処理における前記判断が正しくないとする結果であった場合には、前記送受信処理を継続することを特徴とする通信装置。
【手続補正２】
【補正対象書類名】明細書
【補正対象項目名】０００７
【補正方法】変更
【補正の内容】
【０００７】
そこで、本発明の目的は、無線通信によるデータの送受信処理において、当該送受信処理に異常が生じていることをより正確に決定することができる、画像処理装置及び通信装置を提供することである。
【手続補正３】
【補正対象書類名】明細書
【補正対象項目名】０００８
【補正方法】変更
【補正の内容】
【０００８】
上記の課題を解決するために、第１の発明に係る画像処理装置は、端末装置と通信可能な画像処理装置であって、前記端末装置との間で、無線通信を行うための通信部と、前記通信部を制御するための制御部とを備え、前記制御部は、前記無線通信にて前記端末装置とデータの通信を実行する送受信処理と、前記送受信処理のときに、前記無線通信による前記端末装置との通信に基づき、前記端末装置及び前記画像処理装置のいずれかにおいて不正の処理が行われ、前記送受信処理に異常が生じていると判断する判断処理と、前記判断処理において、前記送受信処理に異常が生じていると判断したときに、当該判断した異常に係る異常候補情報を外部装置に送信する問合処理であって、前記外部装置は、前記送受信処理において生じ得る異常に係る異常情報を格納したデータベースと、前記画像処理装置から前記判断処理により判断された異常に係る前記異常候補情報を受信したときに、当該異常候補情報が前記データベースに格納された異常情報の何れかと一致するか否かを判定することで前記判断処理による判断が正しいか否かを決定し、その決定結果を前記画像処理装置に送信する決定手段とを備える、前記問合処理と、を実行し、前記問合処理において、前記外部装置から受信した前記決定結果が前記判断処理における前記判断が正しいとする結果であった場合には、前記送受信処理を中断し、前記問合処理において、前記外部装置から受信した前記決定結果が前記判断処理における前記判断が正しくないとする結果であった場合には、前記送受信処理を継続することを特徴とする。
【手続補正４】
【補正対象書類名】明細書
【補正対象項目名】０００９
【補正方法】変更
【補正の内容】
【０００９】
また、第２の発明に係る画像処理装置は、端末装置と通信可能な画像処理装置であって、前記端末装置との間で、無線通信を行うための通信部と、前記通信部を制御するための制御部とを備え、前記制御部は、前記無線通信にて前記端末装置とデータの通信を実行する送受信処理と、前記送受信処理のときに、前記無線通信による前記端末装置との通信に基づき、前記端末装置及び前記画像処理装置のいずれかにおいて不正の処理が行われ、前記送受信処理に異常が生じていると判断する判断処理と、前記判断処理において、前記送受信処理に異常が生じていると判断したときに、当該判断した異常に係る異常候補情報を外部装置に送信する問合処理であって、前記外部装置は、前記送受信処理において生じ得る異常に係る異常情報を格納したデータベースと、前記画像処理装置から前記判断処理により判断された異常に係る前記異常候補情報を受信したときに、当該異常候補情報が前記データベースに格納された異常情報の何れかと一致するか否かを判定することで前記判断処理による判断が正しいか否かを決定し、その決定結果を前記画像処理装置に送信する決定手段とを備える、前記問合処理と、を実行し、前記判断処理により前記送受信処理に異常が生じていると判断したときから、前記問合処理において前記決定結果を受信するまでの間、前記送受信処理を中断し、前記問合処理において、前記外部装置から受信した前記決定結果が前記判断処理における前記判断が正しいとする結果であった場合には、前記送受信処理の中断を継続し、前記問合処理において、前記外部装置から受信した前記決定結果が前記判断処理における前記判断が正しくないとする結果であった場合には、前記送受信処理を再開することを特徴とする。
【手続補正５】
【補正対象書類名】明細書
【補正対象項目名】００１０
【補正方法】変更
【補正の内容】
【００１０】
また、本発明の通信装置は、通信対象機器との間で、無線通信を行うための通信部と、前記通信部を制御するための制御部とを備え、前記制御部は、前記通信対象機器との間で前記無線通信にてデータの通信を実行する送受信処理と、前記送受信処理のときに、前記無線通信による前記通信対象機器との通信に基づき、前記通信対象機器及び当該通信装置のいずれかにおいて不正の処理が行われ、前記送受信処理に異常が生じていると判断する判断処理と、前記判断処理において、前記送受信処理に異常が生じていると判断したときに、当該判断した異常に係る異常候補情報を外部装置に送信する問合処理であって、前記外部装置は、前記送受信処理において生じ得る異常に係る異常情報を格納したデータベースと、当該通信装置から前記判断処理により判断された異常に係る前記異常候補情報を受信したときに、当該異常候補情報が前記データベースに格納された異常情報の何れかと一致するか否かを判定することで前記判断処理による判断が正しいか否かを決定し、その決定結果を当該通信装置に送信する決定手段とを備える、前記問合処理と、を実行し、前記問合処理において、前記外部装置から受信した前記決定結果が前記判断処理における前記判断が正しいとする結果であった場合には、前記送受信処理を中断し、前記問合処理において、前記外部装置から受信した前記決定結果が前記判断処理における前記判断が正しくないとする結果であった場合には、前記送受信処理を継続することを特徴とする。
さらに、本発明の通信装置は、通信対象機器との間で、無線通信を行うための通信部と、前記通信部を制御するための制御部とを備え、前記制御部は、前記通信対象機器との間で前記無線通信にてデータの通信を実行する送受信処理と、前記送受信処理のときに、前記無線通信による前記通信対象機器との通信に基づき、前記通信対象機器及び当該通信装置のいずれかにおいて不正の処理が行われ、前記送受信処理に異常が生じていると判断する判断処理と、前記判断処理において、前記送受信処理に異常が生じていると判断したときに、当該判断した異常に係る異常候補情報を外部装置に送信する問合処理であって、前記外部装置は、前記送受信処理において生じ得る異常に係る異常情報を格納したデータベースと、当該通信装置から前記判断処理により判断された異常に係る前記異常候補情報を受信したときに、当該異常候補情報が前記データベースに格納された異常情報の何れかと一致するか否かを判定することで前記判断処理による判断が正しいか否かを決定し、その決定結果を当該通信装置に送信する決定手段とを備える、前記問合処理と、を実行し、前記判断処理により前記送受信処理に異常が生じていると判断したときから、前記問合処理において前記決定結果を受信するまでの間、前記送受信処理を中断し、前記問合処理において、前記外部装置から受信した前記決定結果が前記判断処理における前記判断が正しいとする結果であった場合には、前記送受信処理を中断し、前記問合処理において、前記外部装置から受信した前記決定結果が前記判断処理における前記判断が正しくないとする結果であった場合には、前記送受信処理を継続することを特徴とする。
【手続補正６】
【補正対象書類名】明細書
【補正対象項目名】００１１
【補正方法】変更
【補正の内容】
【００１１】
送受信処理に異常が生じていると判断した場合には、外部装置に対して、その判断の正否の問い合せが行われる。このように、外部装置に対して問い合せを行うことで、送受信処理に異常が生じているか否かをより正確に決定することができる。